(57)【特許請求の範囲】
【請求項１】
電気部品が載置されるソケット本体と、該ソケット本体に取り付けられて前記電気部品の端子に離接可能な複数のコンタクトピンと、前記ソケット本体に対して離接する方向に移動自在に配設されて前記コンタクトピンを前記電気部品端子に対して離接させる上部操作部材とを有する電気部品用ソケットにおいて、
前記コンタクトピンには、弾性を有するバネ部と前記上部操作部材による押圧力を受ける操作片と前記バネ部及び前記操作片を接続する接続部分とが設けられ、
前記接続部分には前記コンタクトピンが前記ソケット本体に取り付けられた状態で該コンタクトピンの最も外側寄りである最外位置が形成され、
前記上部操作部材には、内側から外側に突設されるとともに前記ソケット本体側へ延設されて縦長の略長方形を呈し、前記すべてのコンタクトピンの間に位置する外力防御リブを形成し、
該外力防御リブの内縁部は、前記ソケット本体の前記電気部品を載置する載置部より外側に形成されると共に前記コンタクトピンの前記最外位置よりも内側に位置し、
前記外力防御リブの外縁部は、前記コンタクトピンに外力が作用するのを防止するように、前記上部操作部材と前記ソケット本体とが最も離間した位置においても最も近接した位置においても前記コンタクトピンより外側に位置され、
前記外力防御リブは、前記載置部の前記電気部品を載置する載置面よりも下方まで延設されると共に、前記上部操作部材と前記ソケット本体とが最も離間した位置において前記コンタクトピンの前記最外位置の高さよりも下方まで延長され、
前記上部操作部材は、前記上部操作部材と前記ソケット本体とが最も離間した位置における前記外力防御リブの下端と前記ソケット本体の前記外力防御リブに対応する部位との間隙よりも移動距離が僅かに小さいことを特徴とする電気部品用ソケット。
【請求項２】
電気部品が載置されるソケット本体と、該ソケット本体に取り付けられて前記電気部品の端子に離接可能な複数のコンタクトピンと、前記ソケット本体に対して離接する方向に移動自在に配設されて前記コンタクトピンを前記電気部品端子に対して離接させる上部操作部材とを有する電気部品用ソケットにおいて、
前記コンタクトピンには、弾性を有するバネ部と前記上部操作部材による押圧力を受ける操作片と前記バネ部及び前記操作片を接続する接続部分とが設けられ、
前記接続部分には前記コンタクトピンが前記ソケット本体に取り付けられた状態で該コンタクトピンの最も外側寄りである最外位置が形成され、
前記ソケット本体には、内側から外側に突設されるとともに前記上部操作部材側に延設されて上端が内側から外側に向かって上方に傾斜した縦長の形状を呈し、前記すべてのコンタクトピンの間に位置するソケット本体側外力防御リブを形成し、
前記上部操作部材には、前記ソケット本体側外力防御リブが延設された位置に対応して、前記ソケット本体側に延設されて下端が内側から外側に向かって上方に傾斜した上部操作部材側絶縁リブを形成し、
前記ソケット本体側外力防御リブの内縁部は、前記ソケット本体の前記電気部品を載置する載置部より外側に形成されると共に前記コンタクトピンの前記最外位置よりも内側に位置し、
前記ソケット本体側外力防御リブの外縁部は、前記コンタクトピンに外力が作用するのを防止するように、前記上部操作部材と前記ソケット本体とが最も離間した位置においても最も近接した位置においても前記コンタクトピンより外側に位置され、
前記ソケット本体側外力防御リブは前記上部操作部材と前記ソケット本体とが最も離間した位置において前記コンタクトピンの前記最外位置の高さよりも上方まで延長され、
前記上部操作部材は、前記上部操作部材と前記ソケット本体とが最も離間した位置における前記ソケット本体側外力防御リブの上端と前記上部操作部材側絶縁リブの前記ソケット本体側外力防御リブの上端に対応する部位との間隙よりも移動距離が僅かに小さいことを特徴とする電気部品用ソケット。
【請求項３】
電気部品が載置されるソケット本体と、該ソケット本体に取り付けられて前記電気部品の端子に離接可能な複数のコンタクトピンと、前記ソケット本体に対して離接する方向に移動自在に配設されて前記コンタクトピンを前記電気部品端子に対して離接させる上部操作部材とを有する電気部品用ソケットにおいて、
前記ソケット本体及び前記上部操作部材には、相対する方向に延長され、前記各コンタクトピン間に位置する上部操作部材側外力防御リブ及びソケット本体側外力防御リブを形成し、当該上部操作部材側外力防御リブ及びソケット本体側外力防御リブは、一方のリブが形成されていない位置に形成されると共に、前記コンタクトピンに外力が作用するのを防止するように、外縁部を前記コンタクトピンより外側に位置させたことを特徴とする電気部品用ソケット。
【請求項４】
前記上部操作部材側外力防御リブ及びソケット本体側外力防御リブは、一方のリブが形成されていない位置に交互に形成されたことを特徴とする請求項３記載の電気部品用ソケット。
【請求項５】
前記上部操作部材に外力が作用していない状態で、前記上部操作部材側外力防御リブの先端部は、前記ソケット本体側外力防御リブの先端部よりも低い位置まで延びるように設定されたことを特徴とする請求項３又は４記載の電気部品用ソケット。
【発明の詳細な説明】
【０００１】
【発明の属する技術分野】
この発明は、半導体装置（以下「ＩＣパッケージ」という）等の電気部品を着脱自在に保持する電気部品用ソケット、特に、当該電気部品に電気的に接続されるコンタクトピンの外力に対する変形を防止するための改良がなされた電気部品用ソケットに関するものである。
【０００２】
【従来の技術】
従来からこの種の「電気部品用ソケット」としては、「電気部品」であるＩＣパッケージを着脱自在に保持するＩＣソケットがある。
【０００３】
このＩＣパッケージには、いわゆるガルウイングタイプと称されるものがあり、これは略直方体形状のパッケージ本体から側方に向けて「端子」である複数のＩＣリードがクランク状に突出して構成されている。
【０００４】
一方、ＩＣソケットは、ソケット本体に、ＩＣパッケージを載置する載置部が形成されると共に、ＩＣパッケージのＩＣリードに離接される弾性変形可能なコンタクトピンが複数配設されている。
【０００５】
これらコンタクトピンは、ＩＣリードに離接される可動接片を有し、この可動接片がＩＣパッケージのＩＣリードの上面に離接されるようになっている。
【０００６】
さらに、ソケット本体には、上部操作部材が上下動自在に配設され、この上部操作部材をコンタクトピンの付勢力等に抗して下降させることにより、この上部操作部材のカム部にて、コンタクトピンの操作片が外側に向けて押圧される。これにより、このコンタクトピンのバネ部が弾性変形されて前記ＩＣリードから可動接片が離間され、又、その上部操作部材が上昇されることにより、そのバネ部の弾性力にて可動接片が復帰して前記ＩＣリードの上面に接触してこれを上方から押さえると共に、このコンタクトピンとＩＣリードとが電気的に導通されるようになっている。
【０００７】
この状態で、例えば恒温槽内に入れ、実際の使用状態と同じ電圧を与えるようにしてＩＣパッケージの良否を検査するようにしている。
【０００８】
【発明が解決しようとする課題】
しかしながら、このような従来のものにあっては、ソケット本体と上部操作部材との間からコンタクトピンが露出しているため、ＩＣソケットの外側からそのコンタクトピンに外力が作用する虞があり、かかる場合にはコンタクトピンが内側に変形して上部操作部材のカム部を操作片の先端部が乗り越えてしまい、この状態で上部操作部材を下降させるとコンタクトピンが破損する虞があった。
【０００９】
そこで、この発明は、外側からコンタクトピンに外力が作用するのを防止する電気部品用ソケットを提供することを課題としている。
【００１０】
【課題を解決するための手段】
かかる課題を達成するために、請求項１に記載の発明は、電気部品が載置されるソケット本体と、該ソケット本体に取り付けられて前記電気部品の端子に離接可能な複数のコンタクトピンと、前記ソケット本体に対して離接する方向に移動自在に配設されて前記コンタクトピンを前記電気部品端子に対して離接させる上部操作部材とを有する電気部品用ソケットにおいて、前記コンタクトピンには、弾性を有するバネ部と前記上部操作部材による押圧力を受ける操作片と前記バネ部及び前記操作片を接続する接続部分とが設けられ、前記接続部分には前記コンタクトピンが前記ソケット本体に取り付けられた状態で該コンタクトピンの最も外側寄りである最外位置が形成され、前記上部操作部材には、内側から外側に突設されるとともに前記ソケット本体側へ延設されて縦長の略長方形を呈し、前記すべてのコンタクトピンの間に位置する外力防御リブを形成し、該外力防御リブの内縁部は、前記ソケット本体の前記電気部品を載置する載置部より外側に形成されると共に前記コンタクトピンの前記最外位置よりも内側に位置し、前記外力防御リブの外縁部は、前記コンタクトピンに外力が作用するのを防止するように、前記上部操作部材と前記ソケット本体とが最も離間した位置においても最も近接した位置においても前記コンタクトピンより外側に位置され、前記外力防御リブは、前記載置部の前記電気部品を載置する載置面よりも下方まで延設されると共に、前記上部操作部材と前記ソケット本体とが最も離間した位置において前記コンタクトピンの前記最外位置の高さよりも下方まで延長され、前記上部操作部材は、前記上部操作部材と前記ソケット本体とが最も離間した位置における前記外力防御リブの下端と前記ソケット本体の前記外力防御リブに対応する部位との間隙よりも移動距離が僅かに小さいことを特徴とする。
【００１１】
請求項２に記載の発明は、電気部品が載置されるソケット本体と、該ソケット本体に取り付けられて前記電気部品の端子に離接可能な複数のコンタクトピンと、前記ソケット本体に対して離接する方向に移動自在に配設されて前記コンタクトピンを前記電気部品端子に対して離接させる上部操作部材とを有する電気部品用ソケットにおいて、前記コンタクトピンには、弾性を有するバネ部と前記上部操作部材による押圧力を受ける操作片と前記バネ部及び前記操作片を接続する接続部分とが設けられ、前記接続部分には前記コンタクトピンが前記ソケット本体に取り付けられた状態で該コンタクトピンの最も外側寄りである最外位置が形成され、前記ソケット本体には、内側から外側に突設されるとともに前記上部操作部材側に延設されて上端が内側から外側に向かって上方に傾斜した縦長の形状を呈し、前記すべてのコンタクトピンの間に位置するソケット本体側外力防御リブを形成し、前記上部操作部材には、前記ソケット本体側外力防御リブが延設された位置に対応して、前記ソケット本体側に延設されて下端が内側から外側に向かって上方に傾斜した上部操作部材側絶縁リブを形成し、前記ソケット本体側外力防御リブの内縁部は、前記ソケット本体の前記電気部品を載置する載置部より外側に形成されると共に前記コンタクトピンの前記最外位置よりも内側に位置し、前記ソケット本体側外力防御リブの外縁部は、前記コンタクトピンに外力が作用するのを防止するように、前記上部操作部材と前記ソケット本体とが最も離間した位置においても最も近接した位置においても前記コンタクトピンより外側に位置され、前記ソケット本体側外力防御リブは前記上部操作部材と前記ソケット本体とが最も離間した位置において前記コンタクトピンの前記最外位置の高さよりも上方まで延長され、前記上部操作部材は、前記上部操作部材と前記ソケット本体とが最も離間した位置における前記ソケット本体側外力防御リブの上端と前記上部操作部材側絶縁リブの前記ソケット本体側外力防御リブの上端に対応する部位との間隙よりも移動距離が僅かに小さいことを特徴とする。
【００１２】
請求項３に記載の発明は、電気部品が載置されるソケット本体と、該ソケット本体に取り付けられて前記電気部品の端子に離接可能な複数のコンタクトピンと、前記ソケット本体に対して離接する方向に移動自在に配設されて前記コンタクトピンを前記電気部品端子に対して離接させる上部操作部材とを有する電気部品用ソケットにおいて、前記ソケット本体及び前記上部操作部材には、相対する方向に延長され、前記各コンタクトピン間に位置する上部操作部材側外力防御リブ及びソケット本体側外力防御リブを形成し、当該上部操作部材側外力防御リブ及びソケット本体側外力防御リブは、一方のリブが形成されていない位置に形成されると共に、前記コンタクトピンに外力が作用するのを防止するように、外縁部を前記コンタクトピンより外側に位置させた電気部品用ソケットとしたことを特徴とする。
【００１３】
請求項４に記載の発明は、請求項３に記載の構成に加え、前記上部操作部材側外力防御リブ及びソケット本体側外力防御リブは、一方のリブが形成されていない位置に交互に形成されたことを特徴とする。
【００１４】
請求項５に記載の発明は、請求項３又は４に記載の構成に加え、前記上部操作部材に外力が作用していない状態で、前記上部操作部材側外力防御リブの先端部は、前記ソケット本体側外力防御リブの先端部よりも低い位置まで延びるように設定されたことを特徴とする。
【００１５】
【発明の実施の形態】
以下、この発明の実施の形態について説明する。
【００１６】
［発明の実施の形態１］
図１乃至図５には、この発明の実施の形態１を示す。
【００１７】
まず構成を説明すると、図中符号１１は、「電気部品用ソケット」としてのＩＣソケットで、このＩＣソケット１１は、図５に示すように、「電気部品」であるＩＣパッケージ１２の性能試験を行うために、このＩＣパッケージ１２の「端子」としてのＩＣリード１２ｂと、測定器（テスター）のプリント配線板（図示省略）との電気的接続を図るものである。
【００１８】
このＩＣパッケージ１２は、いわゆるガルウイングタイプと称されるもので、長方形状のパッケージ本体１２ａの対向する２辺から側方に向けて多数のＩＣリード１２ｂがクランク状に突出している。
【００１９】
一方、ＩＣソケット１１は、図１乃至図４に示すように、プリント配線板上に装着されるソケット本体１３を有し、このソケット本体１３には、ＩＣパッケージ１２が上側に載置される載置部１３ａが形成されると共に、ＩＣパッケージ１２を所定の位置に位置決めするガイド部１３ｂがパッケージ本体１２ａの各角部に対応して設けられている。また、各ガイド部１３ｂの間で、載置部１３ａの周囲の対向する２辺には隔壁部１３ｃが形成され、この隔壁部１３ｃには多数のスリット１３ｄが所定の間隔で形成されている。
【００２０】
また、このソケット本体１３には、ＩＣリード１２ｂに離接される弾性変形可能なコンタクトピン１４が複数配設されると共に、これらコンタクトピン１４を弾性変形させる四角形の枠状の上部操作部材１５がソケット本体１３に離接する方向、すなわち、上下方向に移動自在に配設されている。
【００２１】
それらコンタクトピン１４は、バネ性を有し、導電性に優れた材質で形成され、ソケット本体１３の載置部１３ａの外側位置に圧入されて配設されている。
【００２２】
詳しくは、図１及び図２に示すように、これらコンタクトピン１４は、下部側に前記ソケット本体１３に固定される固定部１４ａが形成され、この固定部１４ａがソケット本体１３の貫通孔１３ｅに圧入固定されている。そして、この固定部１４ａから可動接片１４ｂが上方に向けて突設されている。
【００２３】
その可動接片１４ｂは、円弧状に湾曲するバネ部１４ｃが形成され、このバネ部１４ｃの上側に略水平にソケット本体１３中央部側に向けて延びる水平部１４ｄが形成され、この水平部１４ｄから斜め上方に延びる傾斜部１４ｅが形成され、更に、この傾斜部１４ｅの上端部からソケット本体１３中央部側に向けて接触部１４ｆが延設されている。この接触部１４ｆが前記ＩＣリード１２ｂ上面に当接してこれを下方に押圧するようになっている。
【００２４】
そして、このコンタクトピン１４には、詳細を後述する上部操作部材１５により押圧される操作片１４ｇが前記水平部１４ｄと分岐して上方に延設されている。しかも、前記固定部１４ａの下側には、図示省略のプリント配線板に接続されるリード部１４ｈが形成され、ソケット本体１３から下方に突出している。
【００２５】
また、前記上部操作部材１５は、図３に示すように、ＩＣパッケージ１２の形状に対応して長方形の枠形状を呈し、図４に示すように、ＩＣパッケージ１２が挿入可能な大きさの開口１５ａを有し、この開口１５ａを介してＩＣパッケージ１２が挿入されて、ソケット本体１３の載置部１３ａの上側に載置されるようになっている。この上部操作部材１５は、ソケット本体１３に対して離接する方向に上下動自在に配設され、コンタクトピン１４及びコイルスプリング１６により上方に付勢されると共に、最上昇位置で、係止爪１５ｂがソケット本体１３の被係止部１３ｆに係止され、上部操作部材１５の外れが防止されるようになっている。
【００２６】
さらに、この上部操作部材１５には、図１及び図２に示すように、外側面側に前記コンタクトピン１４の操作片１４ｇに摺接するカム部１５ｃが形成され、この上部操作部材１５を下降させることにより、そのコンタクトピン１４の操作片１４ｇがそのカム部１５ｃに押圧されて、バネ部１４ｃが弾性変形され、接触部１４ｆが斜め外側に向けて変位されるようになっている（図２参照）。
【００２７】
さらにまた、そのカム部１５ｃに隣接して、図１，図２及び図４に示すように、各コンタクトピン１４間に位置する上部操作部材側外力防御リブ１５ｄが、ソケット本体１３側（下方）に向けて微少間隔で延設されている。そして、この外力防御リブ１５ｄの外縁部１５ｅが、バネ部１４ｃと操作片１４ｇとを接続する接続部分１４ｊの下端である、コンタクトピン１４の可動接片１４ｂの最も外側寄りの最外位置１４ｉより外側に位置すると共に、この外力防御リブ１５ｄの外縁部１５ｅの下端１５ｆが、上部操作部材１５が最も上昇した位置で、その最外位置１４ｉより下側に位置している（図１参照）。しかも、上部操作部材１５を最も下降させた状態では、図２に示すように、上部操作部材側外力防御リブ１５ｄの下端１５ｆが、ソケット本体１３に形成されて各コンタクトピン１４間に位置するソケット本体側絶縁リブ１３ｇに干渉しないような長さに設定されている。さらにまた、そのカム部１５ｃに隣接して、図１，図２及び図４に示すように、各コンタクトピン１４間に位置する上部操作部材側外力防御リブ１５ｄが、ソケット本体１３側（下方）に向けて微少間隔で延設されている。そして、この外力防御リブ１５ｄの外縁部１５ｅが、コンタクトピン１４の可動接片１４ｂの最も外側寄りの最外位置１４ｉより外側に位置すると共に、この外力防御リブ１５ｄの外縁部１５ｅの下端１５ｆが、上部操作部材１５が最も上昇した位置で、その最外位置１４ｉより下側に位置している（図１参照）。しかも、上部操作部材１５を最も下降させた状態では、図２に示すように、上部操作部材側外力防御リブ１５ｄの下端１５ｆが、ソケット本体１３に形成されて各コンタクトピン１４間に位置するソケット本体側絶縁リブ１３ｇに干渉しないような長さに設定されている。
【００２８】
次に、かかる構成のＩＣソケット１１の使用方法について説明する。
【００２９】
まず、ＩＣソケット１１のコンタクトピン１４のリード部１４ｈをプリント配線板の挿通孔に挿入して半田付けすることにより、プリント配線板上に複数のＩＣソケット１１を配設する。
【００３０】
かかるＩＣソケット１１の配設時等には、図１に示すように、上部操作部材１５が最上昇位置にある時に、ソケット本体１１の外側から外力Ｐが作用する場合がある。しかし、コンタクトピン１４の外側には、上部操作部材１５の上部操作部材側外力防御リブ１５ｄが位置しており、しかも、これらリブ１５ｄは微少間隔であるため、この微少間隔の隙間を通してコンタクトピン１４に外力Ｐが作用することは殆どなく、このコンタクトピン１４の内側への変形を防止できる。
【００３１】
従って、このコンタクトピン１４に操作片１４ｇが上部操作部材１５のカム部１５ｃを乗り越えて内側に位置するようなことが無い。
【００３２】
また、このように各コンタクトピン１４の間に上部操作部材側外力防御リブ１５ｄを位置させることにより、各コンタクトピン１４の絶縁を行うことができる。
【００３３】
さらに、かかる上部操作部材側外力防御リブ１５ｄにて、コンタクトピン１４に外力Ｐが作用するのを防止することにより、ＩＣソケット１１の大型化を防止できる。すなわち、上部操作部材１５の周囲でコンタクトピン１４の外側に外力防御壁を形成することも考えられるが、かかる防御壁を所定の強度で形成するには、ある程度の肉厚が必要となり、それだけＩＣソケット１１の外形が大きくなってしまう。これに対して、コンタクトピン１４の間に位置する上部操作部材側外力防御リブ１５ｄの外縁部１５ｅをコンタクトピン１４より外側に位置させるようにすれば、外縁部１５ｅが僅かにコンタクトピン１４より外側に突出するだけで外力Ｐを防御でき、且つ、上部操作部材側外力防御リブ１５ｄ自体の強度は、その突出部分とコンタクトピン１４の間に位置している部分とで確保できる。従って、所定の肉厚を有する防御壁をコンタクトピン１４の外側に形成する場合よりも、ＩＣソケット１１を小型化できる。
【００３４】
そして、かかるＩＣソケット１１にＩＣパッケージ１２を例えば自動機により以下のようにセットして電気的に接続する。
【００３５】
すなわち、自動機は、ＩＣソケット１１に装着されるＩＣパッケージ１２を保持した状態で、上部操作部材１５をコンタクトピン１４及びコイルスプリング１６の付勢力に抗して下方に押圧して下降させる。すると、この上部操作部材１５のカム部１５ｃにより、コンタクトピン操作片１４ｇが押圧されて、バネ部１４ｃが弾性変形され、接触部１４ｆが斜め上方に変位されて最大限に開かれ、ＩＣパッケージ１２の挿入範囲から退避される（図２参照）。
【００３６】
この際には、下方に延長された上部操作部材側外力防御リブ１５ｄが不用意にソケット本体側絶縁リブ１３ｇに干渉するようなことが無く、上部操作部材１５が最下降位置まで移動され、上部操作部材側外力防御リブ１５ｄを形成した場合でも、動作に支障を来すようなことがない。
【００３７】
そして、この状態で、ＩＣパッケージ１２は自動機から開放され、ソケット本体１３の載置部１３ａ上に載置される。
【００３８】
次いで、自動機による上部操作部材１５の押圧力を解除すると、この上部操作部材１５がコンタクトピン１４の弾性力等により上昇し、バネ部１４ｃの弾性力により、コンタクトピン１４の可動接片１４ｂが戻り始める。そして、この上部操作部材１５が所定位置まで上昇した時点で、コンタクトピン１４の接触部１４ｆが、位置決めされたＩＣパッケージ１２の所定のＩＣリード１２ｂの上面に当接して電気的に接続されることとなる。
【００３９】
［発明の実施の形態２］
図６乃至図８には、この発明の実施の形態２を示す。
【００４０】
上記実施の形態１では、上部操作部材１５に上部操作部材側外力防御リブ１５ｄが形成されていたが、この発明の実施の形態２は、ソケット本体１３にソケット本体側外力防御リブ１３ｈが形成されている。
【００４１】
このソケット本体側外力防御リブ１３ｈは、各コンタクトピン１４間に微少間隔で位置し、外縁部１３ｉが、バネ部１４ｃと操作片１４ｇとを接続する接続部分１４ｊの下端である、コンタクトピン可動接片１４ｂの最外位置１４ｉより外側に位置し、上部操作部材１５が図６に示すように最上昇した位置で、ソケット本体側外力防御リブ外縁部１３ｉの上端１３ｊが前記最外位置１４ｉより上方に位置している。
【００４２】
そして、その上部操作部材１５を図７に示すように最下降させた状態においては、前記ソケット本体側外力防御リブ１３ｈが、上部操作部材側絶縁リブ１５ｇに不用意に干渉しないように形状や長さ等が構成されている。
【００４３】
このようなものにおいても、ソケット本体側外力防御リブ１３ｈにより、コンタクトピン１４に外力Ｐが作用するのを防止できる。
【００４４】
また、このようにソケット本体１３にソケット本体側外力防御リブ１３ｈを形成することにより、実施の形態１に示したように、上部操作部材１５に上部操作部材側外力防御リブ１５ｄを形成する場合よりも以下の点で効果的である。すなわち、実施の形態１ではコンタクトピン１４はソケット本体１３側に取り付けられるのに対して、上部操作部材１５はこのソケット本体１４に対して離接する方向（上下方向）に移動自在に配設されるため、この上部操作部材１５側に微少隙間のコンタクトピン１４間に位置する上部操作部材側外力防御リブ１５ｄを形成すると、このリブ１５ｄとコンタクトピン１４とは相対移動し、この上部操作部材１５が片押しされてソケット本体１３に対して傾いた場合には、それら上部操作部材側外力防御リブ１５ｄも傾くことから、この外力防御リブ１５ｄによりコンタクトピン１４が変形させられる虞がある。これに対して、実施の形態２では、ソケット本体１３にソケット本体側外力防御リブ１３ｈを形成すれば、このソケット本体１３にはコンタクトピン１４が取り付けられるため、両者の間には相対移動が無いことから、そのソケット本体側外力防御リブ１３ｈによりコンタクトピン１４が変形されるようなことはない。
【００４５】
他の構成及び作用は、実施の形態１と同様であるので説明を省略する。
【００４６】
［発明の実施の形態３］
図９乃至図１１には、この発明の実施の形態３を示す。
【００４７】
この発明の実施の形態３は、上記実施の形態１，２を組み合わせたもので、上部操作部材側外力防御リブ１５ｄとソケット本体側外力防御リブ１３ｈとが、互いに相手側のリブ１５ｄ，１３ｈが形成されていない位置に交互に形成されると共に、外縁部１５ｅ，１３ｉが前記コンタクトピン１４より外側に位置している。
【００４８】
そして、前記上部操作部材１５がソケット本体１３から最も離間した状態、つまり、上部操作部材１５の最上昇位置で、前記上部操作部材側外力防御リブ１５ｄの先端部は、ソケット本体側外力防御リブ１３ｈの先端部よりも低い位置まで延びるように設定されている。
【００４９】
上記各実施の形態１，２では、上部操作部材１５をソケット本体１３に最も接近させた状態で、上部操作部材側外力防御リブ１５ｄがソケット本体１３に、又はソケット本体側外力防御リブ１３ｈが上部操作部材１５にそれぞれ不用意に干渉しないように、上部操作部材側外力防御リブ１５ｄとソケット本体側絶縁リブ１３ｇとの間、ソケット本体側外力防御リブ１３ｈと上部操作部材側絶縁リブ１５ｇとの間には、上部操作部材１５の移動ストロークを考慮して、上部操作部材１５の最上昇位置においてそれぞれ所定の長さの間隙Ｃ１，Ｃ２が設定されている。
【００５０】
しかし、この間隙Ｃ１，Ｃ２が設定されていたとしても、この実施の形態３においては、上部操作部材側外力防御リブ１５ｄとソケット本体側外力防御リブ１３ｈとを交互に形成することにより、コンタクトピン１４の外側の略全体がカバーされ、コンタクトピン１４への外力Ｐの作用をより効果的に防止できる。
【００５１】
各リブ１５ｄ，１３ｉは、一つ置きに形成されているとしても、それら各リブ１５ｄの間隔Ｈ１、又は各リブ１３ｉの間隔Ｈ２は極めて狭いことから、それら間隙Ｈ１，Ｈ２を介して外力Ｐがコンタクトピン１４に作用することは殆どない。
【００５２】
しかも、隣接する上部操作部材側外力防御リブ１５ｄ及びソケット本体側外力防御リブ１３ｈ同士は、コンタクトピン１４を挟んで互いに高さ方向で重なり合っているため、互いに相手方のリブ１５ｄ，１３ｈのピッチを矯正することができる。
【００５３】
他の構成及び作用は実施の形態１と同様であるので説明を省略する。
【００５４】
なお、上記各実施の形態では、「電気部品用ソケット」としてＩＣソケット１１に、この発明を適用したが、これに限らず、他の装置にも適用できることは勿論である。また、上記実施の形態３では、上部操作部材側外力防御リブ１５ｄ及びソケット本体側外力防御リブ１３ｈを一つ置きに交互に形成しているが、これに限らず、互いに相手側のリブ１５ｄ，１３ｈが形成されていない位置であれば、二つ置き、又は三つ置き等でも良いことは勿論である。さらに、上記実施の形態１乃至３のコンタクトピン１４は、１ポイント接触式のものであったが、可動接片１４ｂの他に固定接片も形成された、いわゆる２ポイント接触式のものにもこの発明を適用できる。さらにまた、ＩＣリード１２ｂ（端子）の形状も、いわゆるガルウイングタイプに限らず、ストレートタイプ等にも適用できることは言うまでもない。
【００５５】
【発明の効果】
以上説明してきたように、請求項１に記載の発明によれば、コンタクトピンには、弾性を有するバネ部と上部操作部材による押圧力を受ける操作片とバネ部及び操作片を接続する接続部分とが設けられ、接続部分にはコンタクトピンがソケット本体に取り付けられた状態で該コンタクトピンの最も外側寄りである最外位置が形成され、上部操作部材には、内側から外側に突設されるとともにソケット本体側へ延設されて縦長の略長方形を呈し、すべてのコンタクトピンの間に位置する外力防御リブを形成し、該外力防御リブの内縁部は、ソケット本体の電気部品を載置する載置部より外側に形成されると共にコンタクトピンの最外位置よりも内側に位置し、外力防御リブの外縁部は、コンタクトピンに外力が作用するのを防止するように、上部操作部材とソケット本体とが最も離間した位置においても最も近接した位置においてもコンタクトピンより外側に位置され、外力防御リブは、載置部の電気部品を載置する載置面よりも下方まで延設されると共に、上部操作部材とソケット本体とが最も離間した位置においてコンタクトピンの最外位置の高さよりも下方まで延長され、上部操作部材は、上部操作部材とソケット本体とが最も離間した位置における外力防御リブの下端とソケット本体の外力防御リブに対応する部位との間隙よりも移動距離が僅かに小さいことにより、外力がコンタクトピンに作用するのを防止することができ、このコンタクトピンの損傷等を防止できる。また、コンタクトピンの間に位置する外力防御リブにて、コンタクトピンに外力が作用するのを防止することにより、ＩＣソケットの大型化を防止できる。
【００５６】
請求項２に記載された発明によれば、上記効果に加え、ソケット本体に外力防御リブを形成することにより、当該外力防御リブとコンタクトピントとの相対移動が無いため、その外力防御リブによりコンタクトピンが変形されるようなことはない。
【００５７】
請求項３に記載された発明によれば、上記効果に加え、ソケット本体及び上部操作部材には、相対する方向に延長され、各コンタクトピン間に挿入される上部操作部材側外力防御リブ及びソケット本体側外力防御リブを形成し、当該上部操作部材側外力防御リブ及びソケット本体側外力防御リブは、一方のリブが形成されていない位置に形成されることにより、隣接する上部操作部材側外力防御リブ及びソケット本体側外力防御リブ同士は、コンタクトピンを挟んで互いに高さ方向で重なり合っているため、双方のリブ同士でピッチを矯正することができる。
【００５８】
請求項４に記載された発明によれば、上記効果に加え、上部操作部材側外力防御リブ及びソケット本体側外力防御リブは、一方のリブが形成されていない位置に交互に形成されたため、コンタクトピンの外側の略全体がカバーされ、コンタクトピンへの外力の作用をより効果的に防止でき、且つ、双方のリブ同士でピッチ矯正も効果的に行うことができる。
【００５９】
請求項５に記載された発明によれば、上記効果に加え、上部操作部材に外力が作用していない状態で、上部操作部材側外力防御リブの先端部は、ソケット本体側外力防御リブの先端部よりも低い位置まで延びるように設定されたため、互いに相手方のリブのピッチの矯正をより効果的に行うことができる、という実用上有益な効果を発揮する。
【図面の簡単な説明】
【図１】この発明の実施の形態１に係るＩＣソケットの上部操作部材の最上昇位置における半断面図である。
【図２】同実施の形態１に係るＩＣソケットの上部操作部材の最下降位置における半断面図である。
【図３】同実施の形態１に係るＩＣソケットの平面図である。
【図４】同実施の形態１に係る図３の一部を断面した右側面図である。
【図５】同実施の形態１に係るＩＣパッケージを示す図で、（ａ）は同ＩＣパッケージの平面図、（ｂ）は同ＩＣパッケージの正面図である。
【図６】この発明の実施の形態２に係る図１に相当する断面図である。
【図７】同実施の形態２に係る図２に相当する断面図である。
【図８】同実施の形態２に係る図４に相当する断面図である。
【図９】この発明の実施の形態３に係る図１に相当する断面図である。
【図１０】同実施の形態３に係る図２に相当する断面図である。
【図１１】同実施の形態３に係る図４に相当する断面図である。
【符号の説明】
11  ＩＣソケット（電気部品用ソケット）
12  ＩＣパッケージ（電気部品）
12a パッケージ本体
12b ＩＣリード（端子）
13  ソケット本体
13a 載置部
13h ソケット本体側外力防御リブ
13i 外縁部
14  コンタクトピン
14a 固定部
14b 可動接片
14c バネ部
14f 接触部
14g 操作片
15  上部操作部材
15c カム部
15d 上部操作部材側外力防御リブ
15e 外縁部
【図１】
0003821972.tif 000002
【図２】
0003821972.tif 000003
【図３】
0003821972.tif 000004
【図４】
0003821972.tif 000005
【図５】
0003821972.tif 000006
【図６】
0003821972.tif 000007
【図７】
0003821972.tif 000008
【図８】
0003821972.tif 000009
【図９】
0003821972.tif 000010
【図１０】
0003821972.tif 000011
【図１１】
0003821972.tif 000012